(57)【要約】【課題】本体ケースが、プラスチック製の内ケースと、内ケースの外面を覆う金属板製の外ケースとで構成された小型電気機器において、３次元平面を含む非回転体状の外ケースを確実に形成できるようにして、本体ケースの外観上の印象が重厚で高級感に富み、構造強度も強化できるようにする。【解決手段】外ケース１８２を前後一対の分割ケース１９１・１９２で構成して、３次元平面を含む壁構造や、隣接する平面の境界に沿う稜線１９７・２０７などをプレス加工によって明確に形成できるようにする。内ケース１８１の外面を金属板製の分割ケース１９１・１９２で覆い、外観上の印象を重厚で高級感に富むものにし、ケースデザインの幅を拡大できるようにする。内ケース１８１と外ケース１８２とで本体ケース１を内外２重に構成するので、本体ケース１の構造強度をアップできる。【選択図】        図１
2004222951.tif 000002
【特許請求の範囲】
【請求項１】
本体ケース１が、プラスチック製の内ケース１８１と、内ケース１８１の外面を覆う金属板製の外ケース１８２とで構成されており、
外ケース１８２が、それぞれ３次元平面を含む状態でプレス成形された前後一対の分割ケース１９１・１９２で構成されており、
両分割ケース１９１・１９２を、内ケース１８１に対してその前後から対向状に接合固定して本体ケース１が構成してあることを特徴とする小型電気機器。
【請求項２】
分割ケース１９１・１９２が樋状の主壁１９３・２０５と、主壁１９３・２０５に連続して外側方に折り曲げられた一対の分岐壁１９４・２０６とを一体に備えており、
左右の分岐壁１９４・２０６が切欠１９８・２０８を介して左右に分岐している請求項１記載の小型電気機器。
【請求項３】
分割ケース１９１・１９２の周縁複数箇所に締結座１９９・２００・２１１・２１２が設けられており、
締結座１９９・２００・２１１・２１２をビス２２５で内ケース１８１に締結することにより、外ケース１８２が内ケース１８１に固定されている請求項２記載の小型電気機器。
【請求項４】
分岐壁１９４・２０６の突端側面のそれぞれに締結座１９９・２１１が形成されており、
両分割ケース１９１・１９２の接合縁を挟んで前後に隣接する締結座１９９・２１１の外面が化粧カバー２２７で覆われている請求項３記載の小型電気機器。
【請求項５】
前後の分割ケース１９１・１９２と化粧カバー２２７との間に、互いに係合して分割ケース１９１・１９２の前後方向の分離を阻止する係合構造が設けられている請求項４記載の小型電気機器。
【請求項６】
分割ケース１９１・１９２の締結座１９９・２１１と、この締結座１９９・２１１が接合される内ケース１８１の取付壁１８９とを化粧カバー２２７で内外に挟持して、分割ケース１９１・１９２の左右方向の分離を化粧カバー２２７で阻止している請求項４または５記載の小型電気機器。
【請求項７】
締結座１９９・２１１と、この締結座１９９・２１１が接合される内ケース１８１との間に、互いに係合して分割ケース１９１・１９２の前後方向の分離を阻止する係合構造が設けてある請求項４記載の小型電気機器。
【請求項８】
係合構造が、内ケース１８１の外側面に突設した係合突起２２２と、締結座１９９・２１１に形成した係合凹部２２３とで構成されており、
化粧カバー２２７が、係合突起２２２を利用して分離不能に装着固定されている請求項７記載の小型電気機器。
【請求項９】
主壁１９３・２０５の両側下部のそれぞれに締結座２００・２１２が形成されており、
両分割ケース１９１・１９２の接合縁を挟んで前後に隣接する締結座２００・２１２の外面が、滑り止めを兼ねる化粧ピース２２８で覆われている請求項３記載の小型電気機器。
【発明の詳細な説明】
【０００１】
【発明の属する技術分野】
本発明は、本体ケースがプラスチック製の内ケースと、内ケースの外面を覆う金属製の外ケースとで構成してある小型電気機器に関する。
【０００２】
【従来の技術】
本発明に関して、プラスチック製の内ケースと金属製の外ケースとで本体ケースを構成することは、特許文献１に公知である。そこでは、内ケースの外面に円筒状の外ケースを装着し、外ケースの周方向の端縁どうしをくさびでかしめ固定している。具体的には、内ケースの周方向１箇所に縦長の固定溝を凹み形成し、外ケースの周方向の端縁どうしを固定溝内へ折り込んだうえで、この折り込み部分にくさびを圧入して外ケースを固定している。外ケースはアルミニウム板材にプレス加工を施して形成してある。
【０００３】
【特許文献１】
実開昭４７−３６８８６号公報（４〜５頁、第３図）
【０００４】
【発明が解決しようとする課題】
上記のように内ケースの外面を金属製の外ケースで覆うと、本体ケースに金属特有の質感を与えることができ、例えばプラスチック成形のみからなる本体ケースに比べて、重厚な印象や、金属に特有の手触りを付与できる。落下や他物との衝突に伴う傷付きもよく防止できるうえ、外ケースによって本体ケースの構造強度を向上できる利点もある。
【０００５】
外ケースが単純な円筒構造である場合には、その加工は問題なく行える。しかし、本体ケースの構造や形状が複雑になると、外ケースのプレス加工が困難になり、形状にばらつきを生じやすい。例えば、３次元平面を含む非回転体状の外ケースは、１個のプレス部品として形成することが極めて困難になる。そのため、従来はケースの一部、例えば表示パネル部分に金属プレートやモールを組み込むなど、局部的に金属部品が使用されることはあっても、３次元平面を含む非回転体状の金属製外ケースが実用化されることは無かった。
【０００６】
本発明の目的は、本体ケースが、プラスチック製の内ケースと、３次元平面を含む非回転体状の金属製の外ケースとで構成してあり、本体ケースの外観上の印象が重厚で高級感に富む小型電気機器を提供することにある。
【０００７】
本発明の目的は、３次元平面を含む壁構造や、隣接する平面間の稜線が明確に形成された外ケースを確実に形成でき、従ってメタリックケースをケースデザインに取り込むことが可能であるうえに、本体ケースの構造強度を格段に強化できる小型電気機器を提供することにある。
【０００８】
【課題を解決するための手段】
本発明に係る小型電気機器の本体ケース１は、図１に示すようにプラスチック製の内ケース１８１と、内ケース１８１の外面を覆う金属板製の外ケース１８２とで構成される。外ケース１８２は、それぞれ３次元平面を含む状態でプレス成形された前後一対の分割ケース１９１・１９２で構成する。両分割ケース１９１・１９２を内ケース１８１に対してその前後から対向状に接合固定することにより、本体ケース１が構成されていることを特徴とする（請求項１）。
【０００９】
分割ケース１９１・１９２は樋状の主壁１９３・２０５と、主壁１９３・２０５に連続して外側方に折り曲げられた一対の分岐壁１９４・２０６とを一体に備えている。左右の分岐壁１９４・２０６は切欠１９８・２０８を介して左右に分岐している（請求項２）。
【００１０】
分割ケース１９１・１９２の周縁複数箇所に締結座１９９・２００・２１１・２１２を設ける。この締結座１９９・２００・２１１・２１２をビス２２５で内ケース１８１に締結することにより、外ケース１８２を内ケース１８１に固定する（請求項３）。
【００１１】
分岐壁１９４・２０６の突端側面のそれぞれに締結座１９９・２１１を形成する。両分割ケース１９１・１９２の接合縁を挟んで前後に隣接する締結座１９９・２１１の外面を化粧カバー２２７で覆う（請求項４）。
【００１２】
前後の分割ケース１９１・１９２と化粧カバー２２７との間に、互いに係合して分割ケース１９１・１９２の前後方向の分離を阻止する係合構造を設ける（請求項５）。
【００１３】
分割ケース１９１・１９２の締結座１９９・２１１と、この締結座１９９・２１１が接合される内ケース１８１の取付壁１８９とを化粧カバー２２７で内外に挟持して、分割ケース１９１・１９２の左右方向の分離を化粧カバー２２７で阻止する（請求項６）。
【００１４】
締結座１９９・２１１と、この締結座１９９・２１１が接合される内ケース１８１との間に、互いに係合して分割ケース１９１・１９２の前後方向の分離を阻止する係合構造を設ける（請求項７）。
【００１５】
係合構造は、内ケース１８１の外側面に突設した係合突起２２２と、締結座１９９・２１１に形成した係合凹部２２３とで構成し、化粧カバー２２７は、係合突起２２２を利用して分離不能に装着固定する（請求項８）。
【００１６】
主壁１９３・２０５の両側下部のそれぞれに締結座２００・２１２が形成されており、両分割ケース１９１・１９２の接合縁を挟んで前後に隣接する締結座２００・２１２の外面が、滑り止めを兼ねる化粧ピース２２８で覆われている（請求項９）。
【００１７】
【発明の作用効果】
本発明では、プラスチック製の内ケース１８１と、内ケース１８１の外面を覆う金属板製の外ケース１８２とで本体ケース１を構成した。そのうえで、外ケース１８２は、それぞれ３次元平面を含む状態でプレス成形された前後一対の分割ケース１９１・１９２で構成するので、３次元平面を含む壁構造や、隣接する平面の境界に沿う稜線１９７・２０７が明確に形成された外ケース１８２を確実に形成できる。従って、外観上の印象が重厚で高級感に富む小型電気機器を提供できるうえ、ケースデザインの幅を拡大できる。内ケース１８１と金属板材製の外ケース１８２とで本体ケース１を内外２重に構成するので、プラスチック成形品のみで本体ケースを構成する場合に比べて、本体ケース１の構造強度が格段にアップし、その分だけ小型電気機器の耐久性が向上する（請求項１）。
【００１８】
各分割ケース１９１・１９２は、樋状の主壁１９３・２０５と、主壁１９３・２０５に連続して外側方に折り曲げられた一対の分岐壁１９４・２０６とで構成するが、左右の分岐壁１９４・２０６間には切欠１９８・２０８を設けてあるので、分岐壁１９４を主壁１９３に連続して外側方へ折り曲げる際の３次元曲げ加工が無理なく容易に行え、分岐壁１９４を精度よく形成できる。３次元の面壁を含む分岐壁１９４・２０６は、分割ケース１９１・１９２の構造強度を向上することにも役立っており、例えば分岐壁１９４・２０６の周縁が外力を受けて外面側へめくれ変形するのをよく防止できる（請求項２）。
【００１９】
周縁複数箇所に設けた締結座１９９・２００・２１１・２１２をビス２２５で内ケース１８１に締結する分割ケース１９１・１９２の取付構造によれば、分割ケース１９１・１９２を内ケース１８１に対して、強固にしかも隙間のない状態で密着固定できるので、本体ケース１の構造強度が向上できる。一対の分割ケース１９１・１９２を、内ケース１８１に対してその前後から対向状に接合したうえで、その周縁複数箇所に設けた締結座１９９・２００・２１１・２１２をビス２２５で内ケース１８１に締結固定するので、分割ケース１９１・１９２の周縁部分が内ケース１８１から浮き離れるのを確実に防止でき、使用状態において、モーター３１やその動力伝導機構の振動を受けて分割ケース１９１・１９２が共振し、あるいはがた付くこともない（請求項３）。
【００２０】
分割ケース１９１・１９２の接合縁を挟んで前後に隣接する締結座１９９・２１１の外面を化粧カバー２２７で覆うと、締結座１９９・２１１の外面に露出するビス２２５の頭部を化粧カバー２２７で隠蔽できるので、本体ケース１の外観がすっきりしたものになる。外ケース１８２と内ケース１８１との上端の隙間を化粧カバー２２７で覆うことができるので、両ケース１８１・１８２の間に異物が侵入するのを確実に防止できる。例えば、電気かみそりの本体ケース１の場合には、先の隙間に毛屑が入り込むのを防止できるので、長期にわたって清潔さを維持できる（請求項４）。
【００２１】
前後の分割ケース１９１・１９２と化粧カバー２２７との間に係合構造を設けてあると、ビス２２５で分割ケース１９１・１９２を固定できることに加えて、化粧カバー２２７によっても分割ケース１９１・１９２の前後分離を阻止できるので、分割ケース１９１・１９２の内ケース１８１に対する取り付けがさらに強固なものになる。例えば、ビス２２５が緩むことがあったとしても、分割ケース１９１・１９２の前後方向の分離を化粧カバー２２７で阻止できる（請求項５）。
【００２２】
分割ケース１９１・１９２の締結座１９９・２１１と、内ケース１８１の取付壁１８９とを化粧カバー２２７で内外に挟持固定する、化粧カバー２２７の固定構造によれば、分割ケース１９１・１９２の左右方向の分離を化粧カバー２２７で阻止できるので、例えば落下衝撃を受けた場合にでも、分割ケース１９１・１９２が内ケース１８１から浮き離れるのを確実に防止して、本体ケース１の強度を維持できる（請求項６）。
【００２３】
締結座１９９・２１１と内ケース１８１との間に、互いに係合して分割ケース１９１・１９２の前後方向の分離を阻止する係合構造を設けた本体ケース１によれば、分割ケース１９１・１９２を内ケース１８１に仮組みした状態において、分割ケース１９１・１９２の前後方向の位置決めを行えるうえ、両ケース１９１・１９２の分離を阻止できるので、ビス２２５による締結座１９９・２１１の締結を、迅速にしかも適正に行うことができる（請求項７）。
【００２４】
内ケース１８１の外側面に突設した係合突起２２２と、締結座１９９・２１１に形成した係合凹部２２３とで係合構造を構成し、係合突起２２２を利用して化粧カバー２２７を分離不能に装着固定するケース構造によれば、係合突起２２２を利用して分割ケース１９１・１９２の分離阻止と、化粧カバー２２７の分離阻止とが同時に行えるので、構造の無駄がなく、その分だけ化粧カバー２２７の固定構造を簡素化できる（請求項８）。
【００２５】
主壁１９３・２０５の両側下部に設けた締結座２００・２１２の外面が、滑り止めを兼ねる化粧ピース２２８で覆われていると、締結座２００・２１２の外面に露出するビス２２５の頭部を化粧ピース２２８で隠蔽できるので、本体ケース１の外観をすっきりさせることができるうえ、金属製の外ケース１８２に水や洗剤が付着した状態であっても、摩擦抵抗が大きな化粧ピース２２８で手指が滑るのを防止し、本体ケース１が滑り落ちるのをよく防止できる（請求項９）。
【００２６】
【実施例】
図１ないし図２６は、本発明をロータリー式電気かみそりに適用した実施例を示す。図２ないし図４において電気かみそりは、本体ケース１と、その上部に設けたかみそりヘッド２と、本体ケース１に収容される電装品ユニット３とを含む。
【００２７】
図２において本体ケース１の前面には、モーター起動用のスイッチボタン５と、そのロックボタン６と、運転モードを切り換るセレクトボタン７と、表示具とが設けてある。
【００２８】
表示具は、セレクトボタン７の上側に設けた充電灯８と、電池残量表示灯９と、ケース上部に設けられて運転モードに応じて色が変化する逆Ｕ字状のモード表示灯１０と、ひげセンサーのオンオフに連動して点灯するセンサー灯１１の４種を含む。
【００２９】
図３において本体ケース１の背面側には、きわぞり刃（往復動刃）１３と、きわぞり刃１３を駆動位置へ押し上げ操作するスライドノブ１４とが設けられている。かみそりヘッド２の内部には、前後一対ずつの内刃１５および外刃１６と、センター刃（往復動刃）１７と、これらを駆動する駆動機構などが配置してある。かみそりヘッド２の左右には、かみそりヘッド２を前後揺動不能にロック固定するためのロックノブ１８と、外刃ホルダー１２をロック解除操作する左右一対の解除ボタン１９とが設けてある。
【００３０】
図４において電装品ユニット３は、内フレーム２５と、内フレーム２５の前面に装着される回路基板２６と、回路基板２６の背面側に配置される左右一対の２次電池２７と、回路基板２６に組み付けられる電源スイッチと、各種の表示用ＬＥＤとを含む。
【００３１】
内フレーム２５の上部内面には、後述する浮動フレーム３４を係合保持する４個の係合爪２８が、左右に対向する状態で形成されており、フレーム上端に後述するケースパッキン１００の外周縁を装着するためのシール枠２９が形成されている。
【００３２】
図５においてかみそりヘッド２は、その下半分を占める動力モジュールＭと、上半分側の首振り構造と、動力モジュールＭで減速されたモーター動力を内刃１５に伝える次段伝動機構Ｅと、モーター動力を左右方向の往復動力に変換する起振構造と、起振構造で変換された往復動力をセンター刃１７およびきわぞり刃１３に伝える往復動力伝動機構などからなる。
【００３３】
（動力モジュール）  図６および図７において動力モジュールＭは、横置き配置されるモーター３１と、モーター３１を収容するモーターハウジング３３と、モーターハウジング３３の側端に一体に装着される減速伝動機構Ｄと、モーター３１の出力軸３２からモーターハウジング３２の上面にわたって組み付けた起振構造とを含む。モーターハウジング３２の下面には、浮動フレーム３４が固定されている。
【００３４】
図８においてモーターハウジング３３は、モーター３１の殆どの部分を収容するモーターホルダー３８と、モーターホルダー３８の開口を塞ぐホルダーカバー３９と、ホルダーカバー３９に装着されて出力軸３２を水密状に封止する軸用パッキン４０と、モーターホルダー３８とホルダーカバー３９との接合部を封止するリング状のホルダーパッキン４１とを含んでいる。モーターホルダー３８の中央下面には導線口４４を開口してあり、この導線口４４からモーター３１に接続されたリード線４５を導出して回路基板２６に接続してある（図７および図８参照）。
【００３５】
減速伝動機構Ｄは遊星歯車機構で構成する。図１０において、遊星歯車機構は、モーター３１の出力軸３２に固定される太陽ギヤ５０と、太陽ギヤ５０に噛み合う３個の遊星ギヤ５１と、各遊星ギヤ５１を回転自在に軸支するギヤフレーム５２と、遊星ギヤ５１に噛み合う内歯ギヤ５３を備えた減速ケース５４と、減速ケース５４に軸支されて、ギヤフレーム５２の回転動力を出力する出力軸５５とを含む。
【００３６】
図１１においてギヤフレーム５２は、板面の左右に出力軸５５および３個の遊星ギヤ軸６０が固定してある金属円板からなる第１フレーム５２ａと、第１フレーム５２ａにビス７７で締結固定され、プラスチック製の円板からなる第２フレーム５２ｂとで形成してある。第２フレーム５２ｂにおける第１フレーム５２ａとの対向面の３箇所には、スペーサーを兼ねる締結用のボス７８を突設してあり、これらのボス７８の間に配置した遊星ギヤ５１が遊星ギヤ軸６０で遊転自在に軸支されている。減速ケース５４は、ホルダーカバー３９との接合面側が開口するキャップ状のプラスチック成形品からなり、その内周面に内歯ギヤ５３を形成してある（図１０参照）。
【００３７】
図８に示すように、ギヤフレーム５２の出力軸５５を、ブッシュ６３を介して減速ケース５４に組み付けた後、減速ケース５４をホルダーカバー３９に接合して、モーターホルダー３８とホルダーカバー３９と減速ケース５４との三者をビスで締結することにより、モーター３１、モーターハウジング３３、減速伝動機構Ｄ、および後述する起振構造とを１個の動力モジュールとして構成することができる。
【００３８】
太陽ギヤ５０の回転動力を受けた遊星ギヤ５１は、太陽ギヤ５０と逆向きに回転（自転）しながら、固定された内歯ギヤ５３との噛み合いによって、太陽ギヤ５０の周りを同ギヤ５０の回転方向と同じ方向へ回転（公転）する。この公転動作はギヤフレーム５２を介して出力軸５５に伝動されるが、公転回転数は太陽ギヤ５０と内歯ギヤ５３との歯数比に比例している。
【００３９】
従って、多数個の平歯車で減速する場合に比べて、３種のギヤ５０・５１・５３のみの簡単な構造で、大きな減速比を得ることができる。例えば、モーター３１の駆動回転数が８０００ｒｐｍであるとき、出力軸５５の回転数を２０００ｒｐｍにまで一気に減速して、その分だけ駆動トルクを大きくできる。
【００４０】
（起振構造）  起振構造は、モーター３１の回転動力を左右方向の往復動作に変換するために設けられる。図９において起振構造は、ホルダーカバー３９の側面に固定されるガイド板６６と、太陽ギヤ５０に一体に形成された駆動カム６７と、駆動カム６７で上下に往復駆動される受動ピース６８と、受動ピース６８の上下動作を左右動作に直接変換する逆Ｌ字状の伝動ベルト６９と、伝動ベルト６９の左右動作を受け継ぐスライド片７０とを含む。
【００４１】
ガイド板６６は、ステンレス板材を素材とする円盤状のプレス成形品からなり、板面中央に先の受動ピース６８をスライド案内するガイド面７２が凹み形成されている（図１０参照）。ガイド面６２の上部には、左右の締結座７１から切り離された弾性腕７３を形成してあり、この弾性腕７３の中途部に伝動ベルト６９の平坦面を受け止める突起７４と、後述するローラー８１を遊転自在に支持する転動壁７５とが形成してある。
【００４２】
受動ピース６８およびスライド片７０は、それぞれプラスチック成形品からなり、これらの成形時に伝動ベルト６９がインサート固定される。伝動ベルト６９は、ポリイミド繊維で強化されたポリウレタン製のタイミングベルト（歯付ベルト）からなり、その中途部が屈曲する状態で受動ピース６８およびスライド片７０のスライド平面に沿って配置する。受動ピース６８には、左右に長い長円状のカム溝７６を形成してあり、このカム溝７６に駆動カム６７が係合する。伝動ベルト６９の変向動作を円滑化するために、伝動ベルト６９の屈曲部の歯面側を変向ギヤ８０で直角に変向案内し、屈曲部の外面を遊転ローラー８１で移行案内している。
【００４３】
図９において変向ギヤ８０は、ホルダーカバー３９に装着した軸８２で遊転自在に支持されており、そのギヤ歯は伝動ベルト６９のギヤ歯と常時噛み合っている。伝動ベルト６９が時計回転方向へ移動するとき、その一部がガイド板６６側へ膨らみ変形しようとするのを防止して、伝動ベルト６９と変向ギヤ８０との噛み合いをより確実なものとするために、ガイド板６６の突起７４で伝動ベルト６９の平坦面を受け止めている。
【００４４】
ローラー８１は、ガイド板６６の転動壁７５と伝動ベルト６９の屈曲部との間に挟持されて、伝動ベルト６９に線接触状態で外接している。この組み付け状態において、ローラー８１は転動壁７５を含む弾性腕７３の弾性によって伝動ベルト６９に押し付けられている。従って、伝動ベルト６９の屈曲部が変向ギヤ８０に沿って往復移動するとき、ローラー８１は伝動ベルト６９の移動方向と同じ方向へ回転して、伝動ベルト６９の変向移動を円滑化する。なお、ローラー８１と変向ギヤ８０の中心どうしを結ぶ線は、伝動ベルト６９の屈曲部のほぼ中央に位置する。
【００４５】
図９においてスライド片７０は、左右横長の本体部８５を有し、その上面中央寄りに突設したボスに駆動ピン８６をインサート固定してある。本体部８５およびボスの後面に連続して、きわぞり刃１３を往復駆動する駆動腕８７が一体に設けられている（図７参照）。
【００４６】
図９においてスライド片７０の上面は、後述するヘッドフレーム１０３の上面壁８８で覆ってあるので、毛屑がスライド片７０の動作領域に侵入することはない。上面壁８８はスライド片７０が浮上がるのを規制する機能も発揮する。スライド片７０の左右スライドを円滑化するために、ホルダー本体３４の上面にガイド体９０を固定し、このガイド体９０でスライド片７０を案内支持している。
【００４７】
以上のように構成した起振構造によれば、受動ピース６８の上下動作を伝動ベルト６９で左右動作に直接変換してスライド片７０を左右方向へ往復駆動できるので、従来のこの種の動作変換機構に比べて起振構造これ全体を簡素化できるうえ、周辺部に動作スペースを確保する必要がないので、起振機構の周辺部における部品の集約配置が可能になり、かみそりヘッド２のコンパクト化を実現できる。起振構造を含む動力モジュールＭは、後述するヘッドフレーム１０３に下面側から組まれて一体化される（図７、図８参照）。
【００４８】
（浮動構造）  かみそりヘッド２の全体は、本体ケース１で前後、左右、上下の各方向を含む全方位方向へ浮動可能に支持する。詳しくは図６および図７に示すように、モーターハウジング３３の下面に、上下面が開口する筒状の浮動フレーム３４を固定し、浮動フレーム３４の４隅外面に突設した係合脚９７を内フレーム２５の係合爪２８に係合したうえで、内フレーム２５と浮動フレーム３４との間に配置した左右一対の圧縮コイル形のフロートばね９８で、かみそりヘッド２の全体を浮動支持する。
【００４９】
これにより、かみそりヘッド２の浮動支持位置はモーター３１より下方に位置することになる。浮動フレーム３４は、導線口４４に外嵌する状態でモーターホルダー３８に締結してあり、導線口４４から導出したリード線４５は、筒内空間を介して回路基板２６側のコネクターに接続される。
【００５０】
上記のように、かみそりヘッド２を全方位方向へ浮動可能に支持すると、かみそりヘッド２の姿勢をあごや頬などの肌の面変化に応じて円滑に追随させ、フィットさせることができるうえ、かみそりヘッド２が局部的に過剰に押し付けられるのを緩和して、肌に対する接触状態がソフトなものになる。
【００５１】
かみそりヘッド２が傾動姿勢から中立姿勢に戻るときの復帰操作力と、かみそりヘッド２を中立姿勢に維持する力とは、主としてフロートばね９８の弾性力によって得られるが、ケースパッキン１００の弾性力も、かみそりヘッド２の復帰動作を補助することに役立っており、さらにかみそりヘッド２を中立姿勢に維持することにも役立っている。
【００５２】
かみそりヘッド２のフロート動作を阻害することなく、電装品ユニット３を防水するために、モーターハウジング３３の下面と、本体ケース１の内面の筒壁９９との間はケースパッキン１００で封止する。詳しくは、図６および図７に示すようにモーターホルダー３８の下面と浮動フレーム３４との間に、ケースパッキン１００の内周縁を挟持固定し、ケースパッキン１００の外周縁を内フレーム２５の上端のシール枠２９に装着したうえで、ケースパッキン１００の外周縁の外面を筒壁９９の内面に密着させる。
【００５３】
（首振り構造）  図５、図７、図１２の各図において先の首振り構造は、モーターハウジング３３の上面に装着固定されるヘッドフレーム１０３と、ヘッドフレーム１０３に前後揺動可能に支持される揺動枠１０４、および内刃支持枠１０５と、内刃支持枠１０５に対して前後面からそれぞれ着脱可能に装着される内刃ユニット１０６と、内刃支持枠１０５に着脱自在に装着される外刃ホルダー１２と、内刃支持枠１０５の内部に収容される振動子１０７などで構成する。
【００５４】
ヘッドフレーム１０３は、下向きに開口するケース部１１０と、ケース部１１０の上面両側に立設した側壁１１１とを備えており、左右の側壁１１１で揺動枠１０４を前後揺動可能に軸支する。そのために、ケース部１１０の上面壁は揺動枠１０４の揺動軌跡に沿って下凹み円弧状に形成されている。
【００５５】
四角枠状に形成される揺動枠１０４の上面左右には、上端に揺動ボス１１３を備えた揺動腕１１４が立設されており、先の側壁１１１で揺動ボス１１３を前後揺動自在に軸支する。これにより、ヘッドフレーム１０３を除く、揺動枠１０４および内刃支持枠１０５などの各部材は、前後方向に揺動できるが、ロックノブ１８を押し下げると揺動できない状態になる。揺動ボス１１３に、終段軸１１５と終段ギヤ１１６とが組み込まれる（図５参照）。
【００５６】
図７、図８に示すように揺動枠１０４の枠開口内に振動子１０７を配置してある。先のスライド片７０の駆動ピン８６は、振動子１０７の下面に設けた係合溝１１８と係合して、往復動力を振動子１０７に伝える。
【００５７】
図１３に示すように揺動枠１０４の左右には、内刃支持枠１０５に装着した内刃ユニット１０６を係合捕捉するための係合アーム１１９が配置されて、係合アーム１１９が圧縮コイル形のばね１２０で上向きに係合付勢されている。係合アーム１１９の前後端には、上向きの係合爪１２１を形成してある。
【００５８】
内刃支持枠１０５は、揺動枠１０４に上面側から係合装着されてヘッドフレーム１０３の上面を側壁１１１ごとカバーする。これにより振動子１０７の駆動軸１０９のみが内刃支持枠１０５の上壁の開口から上方へ突出する。
【００５９】
内刃支持枠１０５の開口と駆動軸１０９との間はパッキン１２２で封止する（図８参照）。内刃支持枠１０５の左右側壁には、先に挙げたロックノブ１８と解除ボタン１９とが組み込まれている。
【００６０】
図５、図７において外刃ホルダー１２は、前後一対の外刃１６とセンター刃１７を支持する内ケース１２ｂと、内ケース１２ｂを支持する外ケース１２ａとに分けて構成してあり、内ケース１２ｂを外ケース１２ａに対して下面側から係合装着することにより、両ケース１２ａ・１２ｂが一体化している。
【００６１】
外刃１６は逆Ｕ字状に湾曲保持した金属薄板からなり、その板面には一群の刃孔が網目状に形成されている。外刃ホルダー１２をかみそりヘッド２に装着した状態においては、内外の両ケース１２ａ・１２ｂが、内刃支持枠１０５の前後面を覆い隠してしまう。
【００６２】
図１３および図１４において、内刃ユニット１０６は、左右に長いＨ字状の内刃フレーム１２５と、内刃フレーム１２５で回転自在に軸支される内刃１５と、内刃７３の側端に固定した内刃ギヤ１２６とからなる。内刃フレーム１２５の両側下端には係合レール１２７を左右対向状に設けてあり、この係合レール１２７を内刃支持枠１０５の上面左右に形成した係合壁１２８に差し込み係合することにより、内刃ユニット１０６を内刃支持枠１０５と一体化できる。内刃１５は、円柱状のプラスチック製ホルダーの周面に、一群の金属切刃をスパイラル状に埋設固定して構成してある。
【００６３】
内刃ユニット１０６を内刃支持枠１０５に装着した状態において、図１３に示すように係合アーム１１９の係合爪１２１が、係合レール１２７の差し込み終端部を係合捕捉するので、内刃ユニット１０６が内刃支持枠１０５から分離することはない。
【００６４】
前後の内刃ギヤ１２６は、それぞれ終段ギヤ１１６に噛み合っている。終段ギヤ１１６と内刃ギヤ１２６との間では、終段軸１１５の回転数が僅かに増速される。内刃１５の交換のために、内刃ユニット１０６は内刃支持枠１０５から抜き外すことができ、その場合には先の係合爪１２１を押し下げながら、内刃フレーム１２５を差し込み方向と逆に抜き出し操作することにより、内刃ユニット１０６の全体を内刃支持枠１０５から分離できる。
【００６５】
（次段伝動機構）  図５、図１５において次段伝動機構Ｅは、減速伝動機構Ｄの出力軸５５に圧入固定される原動プーリー１３２と、終段軸１１５に固定される従動プーリー１３３と、両プーリー１３２・１３３に巻掛け装着されるタイミングベルト１３５と、タイミングベルト１３５の弛みを吸収するテンションローラー１３６と、これらの構成部品を収容する伝動室１３７とからなる。
【００６６】
タイミングベルト１３５は、ポリイミド繊維で強化されたポリウレタン製のタイミングベルトからなる。なお、従動プーリー１３３の歯数は、原動プーリー１３２の歯数より僅かに大きく設定してあり、出力軸５５の動力をさらに減速する。
【００６７】
（往復動力伝動機構）  起振構造によって変換された左右方向の往復動力は、図７に示すように、駆動ピン８６の左右往復動作が、振動子１０７を介してセンター刃１７に伝動される。さらに、駆動腕８７（駆動体）と、きわぞり刃ユニットの内面に設けられて軸１４５まわりに左右揺動する伝動アーム１４６とを介してきわぞり刃１３に伝動される。
【００６８】
図７においてきわぞり刃１３は、きわぞりケース１４７の上端内面に固定される櫛刃状の固定刃１４８と、固定刃１４８に対して左右摺動する櫛刃状の可動刃１４９とで構成してあり、主として長毛やくせ毛を切断する際に使用する。
【００６９】
駆動腕８７の後端部には、縦方向の操作溝１５１を形成してあり、この操作溝１５１に伝動アーム１４６の下端に設けた受動突起１５２が係合することにより、駆動腕８７が往復揺動して可動刃１４９を左右に往復駆動する。
【００７０】
図３に示すように、スライドノブ１４が実線で示す位置にあるとき、受動突起１５２は操作溝１５１と係合しておらず、従って可動刃１４９は停止している。この状態から、スライドノブ１４を想像線で示す位置まで押し上げ操作すると、図７に示すように受動突起１５２が操作溝１５１に係合して、伝動アーム１４６の全体が軸１４５まわりに左右揺動するので、可動刃１４９をスライド片７０に同期して往復駆動できる。
【００７１】
図７および図８においてセンター刃１７は、外刃ホルダー３に固定される断面逆Ｕ字状の固定外刃１５６と、固定外刃１５６の内面に配置される可動内刃１５７とからなり、振動子１０７の駆動軸１０９で可動内刃１５７を左右に往復駆動することにより、主として長毛やくせ毛を切断する。
【００７２】
固定外刃１５６および可動内刃１５７は、それぞれ溝状の刃孔が形成されたスリット刃からなる。可動内刃１５７の内面にプラスチック製の連結片１５８を固定してあり、先の駆動軸１０９が連結片１５８に設けた連結溝１５９と係合することにより、可動内刃１５７をスライド片７０に同期して往復駆動できる。
【００７３】
（安全スイッチ構造）  図１６は安全スイッチ構造を示しており、外刃ホルダー１２がヘッドフレーム１０３から取り外された状態において、モーター３１の給電路をオフ状態に切り換えて、内刃１５が回転駆動されるのを規制する。
【００７４】
具体的には、揺動枠１０４の内部に上下スライド自在に組まれた受動片１６１と、モーターハウジング３３の周囲に設けられて、受動片１６１の上下変位を安全スイッチ１６２に伝える中継リング１６３と、中継リング１６３の上部内面を押し上げ付勢する圧縮コイル形のばね１６４と、浮動フレーム３４の側面に組み込まれる安全スイッチ１６２とを含む。
【００７５】
図１６において受動片１６１は、逆Ｔ状のプラスチック成形品からなり、揺動枠１０４の内部を前後に横断する腕の上面前後端に、外刃ホルダー１２で押し下げ操作される受動部１６５を有し、腕の下面中央に部分円弧状の操作部１６６を備えている。受動部１６５は、内刃支持枠１０５に設けたスリット１６８から前後面に突出している。
【００７６】
従って、外刃ホルダー１２をかみそりヘッド２に装着すると、受動片１６１の全体が、ばね１６４の付勢力に抗して押し下げ操作される。操作部１６６を部分円弧状に形成したのは、かみそりヘッド２が前後いずれかに傾動する状態、すなわち首振り状態においても、受動片１６１と中継リング１２との接当状態を維持して、外刃ホルダー１２がかみそりヘッド２から取り外されたことを検知できるようにするためである。
【００７７】
中継リング１６３は、モーターハウジング３３を前後から挟む前後一対の前リング１６３ａおよび後リング１６３ｂとからなり、それぞれ半円枠状に形成された前リング１６３ａおよび後リング１６３ｂの上下端どうしを連結固定して構成する。前後の両リング１６３ａ・１６３ｂの内法上下寸法は、モーターハウジング３３の上下寸法より大きく設定してあるので、中継リング１６３はモーターハウジング３３の周囲を支障なく上下移動できる。
【００７８】
図１６に示すように、外刃ホルダー１２をかみそりヘッド２から取り外した状態では、中継リング１６３の全体がばね１６４で押し上げられる。この状態では、中継リング１６３の下端に設けた操作突起１７１は安全スイッチ１６２から離れている。従って、安全スイッチ１６２は、制御回路に対してオン信号を発信する。
【００７９】
外刃ホルダー１２をかみそりヘッド２に装着すると、中継リング１６３が受動片１６１を介して押し下げ操作され、その下端に設けた操作突起１７１で安全スイッチ１６２をオフ操作する。安全スイッチ１６２はケースパッキン１００の内部に配置されているので、操作突起１７１はケースパッキン１００の上壁を介して安全スイッチ１６２をオンオフ操作することになる。
【００８０】
以上のように構成した動力モジュールＭは、例えば内刃１５の使用個数が異なる電気かみそりの動力源として共用できる。例えば、２個の内刃１５を備えているかみそりヘッド２と、内刃１５を１個だけ備えたかみそりヘッド２Ａにおいて、動力モジュールＭと次段伝動機構Ｅとを共用して、設計や製造の手間とコストとを省くことができる。動力モジュールＭから起振構造を省けば、きわぞり刃とセンター刃とが省略された電気かみそりを構成でき、必要があればきわぞり刃とセンター刃との片方のみを備えた電気かみそりを構成できる。
【００８１】
電気かみそりの外観上の印象を重厚で高級感に富むものとするために、図１に示すように、本体ケース１はプラスチック製の内ケース１８１と、内ケース１８１の外面を覆う金属製の外ケース１８２と、外ケース１８２に連続してモード表示灯１０の周囲を囲む化粧パネル１８３などで構成されている。
【００８２】
図２において本体ケース１は、その大半を占める下方のグリップ部１Ａと、グリップ部１Ａより左右幅が大きな上方のヘッド支持部１Ｂとを有し、ヘッド支持部１Ｂ内に先の動力モジュールＭやヘッドフレーム１０３を収容してある。
【００８３】
図４において内ケース１８１は、上下両面が開口する筒体からなり、下面開口が底ケース２１で塞がれている。図１７に示すように、底ケース２１を左右一対のビス２２で内フレーム２５に締結することにより、本体ケース１と、電装品ユニット３と、底ケース２１との３者は分離不能に一体化できる。底ケース２１と本体ケース１の接合部、および底ケース２１を貫通する先のビス２２、および充電プラグ２３は、それぞれシールリング２４・２２ａ・２３ａで水密状に防水してある。
【００８４】
内ケース１８１の前壁上部には、化粧パネル１８３を受け止める逆三角形状のパネル受壁１８５が膨出形成されており、その中央下部からケース下端にわたって縦長のリブ状壁１８６が膨出形成されている（図１参照）。内ケース１８１の上開口の左右両側には、後述する分割ケース１９１・１９２を締結するための新月形状の取付壁１８９が左右平行に形成されている。
【００８５】
外ケース１８２は、それぞれステンレス板材を素材にしてプレス成形した、３次元平面を含む前後一対の分割ケース１９１・１９２で構成する。図１、図１８、図１９の各図に示すように前側の分割ケース１９１は、断面が樋状の主壁１９３と、主壁１９３に連続して外側方へ折り曲げられる左右一対の分岐壁１９４とを一体に備えている。主壁１９３は先のグリップ部１Ａの外面を覆う。分岐壁１９４はヘッド支持部１Ｂの下半部を覆う。主壁１９３には、先のリブ状壁１８６の外面に沿う前壁１９５が膨出形成されており、その面壁に制御パネルユニット用の窓１９６が開口している。
【００８６】
図１９において主壁１９３の断面形状は、前壁１９５を含む複数の湾曲壁と傾斜壁とを組み合わせて多段状の屈曲断面形状に形成してあり、こうした断面形状を採用することにより、主壁１９３の構造強度が向上している。図１８において符号１９７は、複数の湾曲壁と傾斜壁との境界に形成された稜線を示す。
【００８７】
左右の分岐壁１９４は、パネル受壁１８５の下縁形状に一致するＶ字状の切欠１９８を介して左右逆向きに折り曲げ形成されている。このように、分岐壁１９４の間に切欠１９８が設けられていると、分岐壁１９４を主壁１９３に連続して外側方へ折り曲げる際の３次元曲げ加工が容易になり、分岐壁１９４を精度よく形成できる。３次元の面壁を含む分岐壁１９４は、分割ケース１９１の構造強度を向上することにも役立っており、例えば分岐壁１９４の周縁が外力を受けてめくれ変形するのをよく防止する。分岐壁１９４を左右逆向きに折り曲げ形成することにより、分割ケース１９１の構造強度を向上できる。また、分岐壁１９４で手指を受け止めることができるので、ひげそり時に本体ケース１が手から滑り落ちるのをよく防止できる。
【００８８】
前側の分割ケース１９１の周縁複数箇所には締結座１９９・２００が形成されている。詳しくは図１８に示すように、分岐壁１９４の上端両側に垂直の締結座１９９を形成し、主壁１９３の両側縁の中途部に位置決め片２０３を形成し、下端寄りに締結座２００を形成する。主壁１９３の両側縁の上部には規制爪２０１を内向きに折り曲げてあり、主壁１９３の下端縁には、内ケース１８１の下端面で受け止められる接当壁２０２が後向きに折り曲げ形成されている。
【００８９】
図１、図２０、図２１の各図に示すように後側の分割ケース１９２は、前側の分割ケース１９１と同様に形成され、グリップ部１Ａの外面を覆う断面が樋状の主壁２０５と、主壁２０５に連続して外側方へ折り曲げられて、ヘッド支持部１Ｂの下半部を覆う左右一対の分岐壁２０６とを一体に備えている。但し、前壁１９５に相当する膨出部は省略してある。
【００９０】
図２１に示すように、主壁２０５の断面形状は、複数の湾曲壁と傾斜壁とを組み合わせて多段状の屈曲断面形状に形成してあり、こうした断面形状を採用することにより、主壁２０５の構造強度を向上できるようにしている。図２０において符号２０７は、複数の湾曲壁と傾斜壁との境界に形成される稜線を示す。
【００９１】
左右の分岐壁２０６は、切欠２０８を介して左右逆向きに折り曲げ形成し、その上端に台形状のカバー部２０９を膨出形成する。この分割ケース１９２における切欠２０８は、スライドノブ１４の周縁形状に一致する形状に形成してあり、先の切欠１９８と同様に、分岐壁２０６を主壁２０５に連続して外側方へ折り曲げる際の３次元曲げ加工を容易化すること、および分岐壁２０６を精度よく形成できることに寄与している。３次元の面壁と膨出形成されるカバー部２０９を含む分岐壁２０６は、分割ケース１９２の構造強度を向上することにも役立っており、例えば分岐壁２０６の周縁が外力を受けてめくれ変形するのをよく防止できる。
【００９２】
後側の分割ケース１９２の周縁複数箇所には締結座２１１・２１２が形成されている。詳しくは図２０に示すように、分岐壁２０６の上端両側に垂直の締結座２１１を形成し、主壁２０５の両側縁の中途部に位置決め片２１６を形成し、下端寄りに締結座２１２を形成する。主壁２０５の両側縁の上部には上下一対の規制爪２１３を内向きに折り曲げてある。主壁２０５の下端縁には、内ケース１８１の下端面で受け止められる接当壁２１４を前向きに折り曲げてある。切欠２０８に臨むカバー壁２０９の上端後縁には、内ケース１８２の上縁に係止する係止爪２１５を下向きに折り曲げてある。
【００９３】
図１において制御パネルユニット２１８は、ベース２１９にスイッチボタン５、ロックボタン６、セレクトボタン７、充電灯８、および電池残量表示灯９を組み付け、その外面を半透明のパネルカバー２２０で覆って構成してあり、ベース２１９が内ケース１８１に装着固定されている。化粧パネル１８３はアルミニウム板材をプレス成形して形成してあり、外ケース１８２と異なる金属材で形成することにより、外観上の質感の違いを意識させデザイン性を向上することに役立っている。
【００９４】
図１において前後の分割ケース１９１・１９２は、内ケース１８１の前後から対向状に接合されて、後側の分割ケース１９２、前側の分割ケース１９１の順で内ケース１８１に仮組みする。この仮組み状態における位置決めと、仮組み状態を維持するために、図１３に示すように内ケース１８１の取付壁１８９には係合突起２２２を形成し、前後の分割ケース１９１・１９２の締結座１９９・２１１には、それぞれ係合突起２２２と係合する係合凹部２２３を形成してある。
【００９５】
係合凹部２２３を係合突起２２２に係合することにより、前後の分割ケース１９１・１９２が前後方向へ分離するのを規制し、同時に位置決めできる。このとき、位置決め片２０３・２１６は、図１７に示すように内ケース１８１のピン２１７と係合して、前後の分割ケース１９１・１９２を位置決めしている。
【００９６】
後側の分割ケース１９２の上下端に設けた係止爪２１５と接当壁２１４とは、内ケース１８１で受け止められて、分割ケース１９２の上下方向の移動を規制する。同様に、前側の分割ケース１９１の下端に設けた接当壁２０２は、内ケース１８１で受け止められて、分割ケース１９１の上方への移動を規制する。さらに、図１３に示すように両分割ケース１９１・１９２に設けた上下一対の規制爪２１３と、規制爪２０１とが互いに係合することにより、前側の分割ケース１９１の上下方向への移動を、後側の分割ケース１９２で規制できる。
【００９７】
仮組み状態における前後の分割ケース１９１・１９２は、それぞれの主壁１９３・２０５、および分岐壁１９４・２０６の両側縁が左右方向へ僅かに弾性変形するが、この弾性力も装着状態を保持することに役立っている。
【００９８】
両分割ケース１９１・１９２を仮組みした後、それぞれの締結座１９９・２００・２１１・２１２に挿通したビス２２５を内ケース１８１にねじ込むことにより、両分割ケース１９１・１９２が内ケース１８１と一体化される。このとき、各分割ケース１９１・１９２の上端、および下端寄りに設けた締結座１９９・２００・２１１・２１２をビス２２５で締結するので、分割ケース１９１・１９２を内ケース１８１に対して密着する状態で確実に固定できる。例えば、主壁１９３・２０５の面壁中途部をビスで締結する場合に比べて、両分割ケース１９１・１９２の周縁がずれ、あるいは内ケース１８１から浮き離れるのを確実に防止できる。
【００９９】
上記のビス２２５の外面を覆い隠して本体ケース１の外観を向上するために、上端の締結座１９９・２１１の外面を化粧カバー２２７で覆い隠し、下側の締結座２００・２１２の外面を化粧ピース２２８で覆い隠している。
【０１００】
図１３、図２２、図２３の各図において化粧カバー２２７は、締結座１９９・２１１の外面を覆う新月形状のカバー壁２３０と、カバー壁２３０の上縁に連続する上壁２３１と、上壁２３１の内縁から下向きに突設された４個の係止爪２３２とを一体に形成したプラスチック成形品からなる。
【０１０１】
カバー壁２３０の内面には、ビス２２５の頭部を受け入れる浅い逃げ凹部２３３と、先の係合突起２２２に係合する抜止凹部２３４とを形成してある。化粧カバー２２７を取付壁１８９と締結座１９９・２１１に上方から差し込み、図２３に示すように抜止凹部２３４を係合突起２２２と係合させることにより、化粧カバー２２７は内ケース１８１に対して分離不能に固定される。
【０１０２】
両分割ケース１９１・１９２を内ケース１８１に固定した状態においては、図３に示すように、両分割ケース１９１・１９２の周縁の上部のみが接合し、下半側周縁は徐々に離れてくさび状の隙間を生じる。この隙間に化粧ピース２２８を装着固定して、位置決め壁２０３・２１６と、下側の締結座２００・２１２にねじ込まれたビス２２５の外面を覆い隠す（図２４参照）。
【０１０３】
化粧ピース２２８は、隙間形状に合致して上すぼまりくさび形状に形成するが、滑り止めを兼ねるために大きな摩擦抵抗を発揮できるゴム、またはエラストマー樹脂で形成する。このように、本体ケース１の左右両側に滑り止めを兼ねる化粧ピース２２８が設けられていると、金属製の外ケース１８２が滑りやすい点を補って、外ケース１８２に水や洗剤が付着した状態であっても、本体ケース１を確りと掴み保持できる。
【０１０４】
図２５は化粧カバー２２７の変形例を示す。そこでの化粧カバー２２７は、内外一対のカバー壁２３０・２３０ａと、両カバー壁２３０の上縁どうしを連続する上壁２３１とで形成し、上壁２３１の内面前後に下向きの係合突起２３６を突設してある。
【０１０５】
内ケース１８１の取付壁１８９には、係合凹部２２３と同形の係合溝２３７を形成してあり、化粧カバー２２７を装着した状態において、係合突起２３６が係合凹部２２３および係合溝２３７と同時に係合することにより、前後の分割ケース１９１・１９２が前後方向へ分離するのを阻止できるようにしてある。換言すると、係合突起２３６、係合凹部２２３、および係合溝２３７の三者からなる係合構造によって、前後の分割ケース１９１・１９２の前後分離を阻止している。他は、先の実施例と同じであるので、同じ部材には同じ符号を付してその説明を省略する。以下の実施例においても同様に扱う。
【０１０６】
図２６は化粧カバー２２７の変形例を示す。そこでは、かみそりヘッド２が、本体ケース１に対して固定されるヘッドフレーム１０３と、ヘッドフレーム１０３で前後揺動可能に支持されるかみそりユニット２４０とで構成してあり、ヘッドフレーム１０３のケース部１１０が、分割ケース１９１・１９２の締結座１９９・２１１に隣接している。
【０１０７】
そこで、ケース部１１０の下縁に沿って化粧カバー２２７を一体に設け、化粧カバー２２７で両締結座１９９・２１１の外面を覆って、ビス２２５の外面を隠すようにした。この実施例から理解できるように、化粧カバー２２７は独立した部品である必要はなく、かみそりヘッド２側の構造体を利用して構成することができる。
【０１０８】
上記の実施例以外に、切欠１９８・２０８の形状は、本体ケース１の構造やデザインに応じて多様に変更することができ、必ずしもＶ字状やＵ字状であることを要しない。要は、分岐壁１９４・２０６の３次元曲げ加工の加工負荷を軽減できる湾曲形状であればよい。分割ケース１９１・１９２はステンレス板材以外の金属板材で形成でき、必要に応じてチタン板やアルミニウム板で形成できる。
【０１０９】
外ケース１８２の表面は、必要に応じて梨地状に形成し、あるいはケース表面にメッキを施すことができる。内ケース１８１は筒構造である必要はなく、外ケース１８２と同様に、前後あるいは左右に分割して形成してもよい。本発明は、電気かみそり以外の小型電気機器、例えばバリカンや脱毛器などにも適用できる。
【図面の簡単な説明】
【図１】本体ケースの分解斜視図
【図２】電気かみそりの正面図
【図３】電気かみそりの側面図
【図４】電気かみそりの分解正面図
【図５】かみそりヘッドと動力モジュールの分解斜視図
【図６】かみそりヘッドの縦断正面図
【図７】かみそりヘッドの縦断側面図
【図８】かみそりヘッドの中央縦断正面図
【図９】動力モジュールの縦断正面図
【図１０】動力モジュールの分解斜視図
【図１１】遊星歯車機構の分解斜視図
【図１２】かみそりヘッドの分解正面図
【図１３】内刃ユニットの係合構造を示す縦断側面図
【図１４】内刃ユニットを分離したかみそりヘッドの分解斜視図
【図１５】次段伝動機構を示す縦断側面図
【図１６】外刃ホルダーと安全スイッチ機構の関係を示す縦断側面図
【図１７】本体ケース底部の断面図
【図１８】前側の分割ケースの正面図、および縦断側面図
【図１９】図１８におけるａ〜ｄ部の断面図
【図２０】後側の分割ケースの背面図、および縦断側面図
【図２１】図２０におけるａ〜ｄ部の断面図
【図２２】図１３におけるＰ−Ｐ線断面図
【図２３】図１３におけるＱ−Ｑ線断面図
【図２４】図３におけるＲ−Ｒ線断面図
【図２５】化粧カバーの別実施例を示す一部破断側面図
【図２６】化粧カバーのさらに異なる別実施例を示す側面図
【符合の説明】
１  本体ケース
１８１  内ケース
１８２  外ケース
１９１  分割ケース（前）
１９２  分割ケース（後）
１９３  分割ケース（前）の主壁
１９４  分割ケース（前）の分岐壁
２０５  分割ケース（後）の主壁
２０６  分割ケース（後）の分岐壁
【図１】
2004222951.tif 000003
【図２】
2004222951.tif 000004
【図３】
2004222951.tif 000005
【図４】
2004222951.tif 000006
【図５】
2004222951.tif 000007
【図６】
2004222951.tif 000008
【図７】
2004222951.tif 000009
【図８】
2004222951.tif 000010
【図９】
2004222951.tif 000011
【図１０】
2004222951.tif 000012
【図１１】
2004222951.tif 000013
【図１２】
2004222951.tif 000014
【図１３】
2004222951.tif 000015
【図１４】
2004222951.tif 000016
【図１５】
2004222951.tif 000017
【図１６】
2004222951.tif 000018
【図１７】
2004222951.tif 000019
【図１８】
2004222951.tif 000020
【図１９】
2004222951.tif 000021
【図２０】
2004222951.tif 000022
【図２１】
2004222951.tif 000023
【図２２】
2004222951.tif 000024
【図２３】
2004222951.tif 000025
【図２４】
2004222951.tif 000026
【図２５】
2004222951.tif 000027
【図２６】
2004222951.tif 000028